(57)【特許請求の範囲】
【請求項１】
ケーブルの保持構造を有する薄型表示装置用キャビネットであって、
前記保持構造は、上面にケーブルが配置される二つのリブと、前記リブの間に、前記リブに配置される前記ケーブルを押さえるフックとを備え、
前記二つのリブは、前記ケーブルの配索方向に並んで所定間隔離間しており、
前記フックは、前記ケーブルを係止する係止部と、前記リブと前記フックとで形成される保持空間への配置を案内する斜面を有している
ことを特徴とする
薄型表示装置用キャビネット。
【請求項２】
請求項１に記載の薄型表示装置用キャビネットを有することを特徴とする薄型表示装置。
【発明の詳細な説明】
【技術分野】
【０００１】
本発明は、薄型表示装置用キャビネット及び薄型表示装置に係り、例えば、スピーカ等の配線を固定する構造を備えた薄型表示装置用キャビネット及び薄型表示装置に関する。
【背景技術】
【０００２】
一般的に、液晶テレビ等の薄型表示装置のフロントキャビネットには、樹脂品の成形品が採用されている。そして、液晶テレビのスピーカや基板類のハーネス保持をするため、成形品にリブ等の保持構造が必要になる。より具体的には、液晶テレビは、ディスプレイ部以外のスペースに、赤外線等で送受信するための基板が配置されている。これらの基板は、コネクタ部からハーネスで液晶モジュールに搭載された基板と繋がる構造となっている。このとき、生産（組み立て）ライン上で基板とハーネスを取り付けていると工程が増え、必要となる生産ラインが長くなってしまう。そのため、基板およびハーネスを先に外観品（キャビネット等）に取り付け、生産ライン上で液晶モジュールを組み立てた後に、線処理のみの作業にするようなっている。このような生産ラインによって、生産ラインの短縮化を計ることが可能になり、短いラインでも製品の効率的な生産が可能になる。
【０００３】
図６は、従来技術に係るハーネス保持構造（線整形用構造）の例を示した図である。ここでは、フロントキャビネット背面下側部において、スピーカ等の配線が配索されている領域を示している。ここでは配線を二つの束に分け、一方の束用の線整形用リブ１０１は、先端が係止構造を有した開口であるＵ字形状の挟み込み構造を呈している。他方の束用の線整形用リブ１０２は、上側から配線を押さえる構造を呈している。
【０００４】
また別の技術として、図７に示すように、ケーブル１６０が配線経路上に強固に固定されるとともに、係止リブ７０から外れることが確実に防止され、さらに、嵌合状態となった係止リブ７０と係止リブ嵌合部とが補強リブの役割を果たし、液晶テレビジョンを構成するテレビジョンキャビネットの強度を向上させる技術がある（例えば、特許文献１参照。）。具体的には、図７に示すように、スピーカから延出するケーブル１６０を、前面壁の内側の配線系路上に形成された各係止リブ７０にジグザグ状に係止し、フロントキャビネットとリアキャビネットとを組み合わせて係止リブ７０と係止リブ嵌合部とを嵌合させる。
【先行技術文献】
【特許文献】
【０００５】
【特許文献１】特開２００５−１３００９７号公報
【発明の概要】
【発明が解決しようとする課題】
【０００６】
一般に用いられる線整形用リブでは、線整形を行う際に線がバラケやすく、他の部品に線が挟み込まれるといった課題があった。リブの径を広げることもできるが、ケーブルの収まりが悪化してしまい、リブとしての機能が十分に発揮できなくなってしまい、現実的な対策ではなかった。また、スタンドカバー等のカビネットを取り付けるボスで、線噛みが発生することがあった。ボス付近に上向きのリブを形成し、持ち上がり防止をすることも可能であるが、保持性能に改善の余地があり、別の技術が求められていた。また、単なるフック構造とした場合、ケーブルが完全に保持されず、ケーブルがばたつくことがあった。そのため、ワイヤーホルダーを別途使用する必要があるなど、部品点数の増加及び作業工程の増加につながり、対策技術が求められていた。また、図６のＵ字型のリブ１０１に圧入する方式では圧入時にケーブルにかかる圧力が大きいため、ケーブルが切れる恐れがあった。また、工場内での輸送時にハーネスがはずれやすいとう課題もあった。そのため、生産ラインの前工程で基板等を取り付けた後でもハーネスがばたつかず、生産ライン中の輸送時に外れないような構造が必要となっていた。
【０００７】
本発明は以上のような状況に鑑みなされたものであって、上記課題を解決する技術を提供することを目的とする。
【課題を解決するための手段】
【０００８】
本発明は、ケーブルの保持構造を有する薄型表示装置用キャビネットであって、前記保持構造は、上面にケーブルが配置される二つのリブと、前記リブの間に、前記リブに配置される前記ケーブルを押さえるフックとを備え、前記二つのリブは、前記ケーブルの配索方向に並んで所定間隔離間しており、前記フックは、前記ケーブルを係止する係止部と、前記リブと前記フックとで形成される保持空間への配置を案内する斜面を有している。
本発明の別の態様は、上記の薄型表示装置用キャビネットを有する。
【発明の効果】
【０００９】
本発明によれば、ワイヤーホルダーを用いることなく、複数のハーネスを一度に安定的に固定する技術を提供することができる。
【図面の簡単な説明】
【００１０】
【図１】実施形態に係る、液晶テレビのフロントキャビネットの背面側を示す図である。
【図２】実施形態に係る、フロントキャビネットの線整形部を示す図である。
【図３】実施形態に係る、フロントキャビネットの線整形部を示す図である。
【図４】実施形態に係る、ハーネスが配索された状態のフロントキャビネットの線整形部を示す図である。
【図５】実施形態に係る、ハーネスが配索された状態のフロントキャビネットの線整形部を示す図である。
【図６】従来技術に係る、フロントキャビネットの線整形部を示す図である。
【図７】従来技術に係る、ケーブルの線整構造を示す図である。
【図８】実施形態の変形例１に係る、フロントキャビネットの線整形部を示す図である。
【図９】実施形態の変形例１に係る、ハーネスが配索された状態のフロントキャビネットの線整形部を示す図である。
【図１０】実施形態の変形例２に係る、フロントキャビネットの線整形部を示す図である。
【図１１】実施形態の変形例２に係る、ハーネスが配索された状態のフロントキャビネットの線整形部を示す図である。
【図１２】実施形態の変形例３に係る、フロントキャビネットの線整形部を示す図である。
【発明を実施するための形態】
【００１１】
次に、本発明を実施するための形態（以下、単に「実施形態」という）を、図面を参照して具体的に説明する。図１は、本実施形態に係る液晶テレビ１０のフロントキャビネット１２の背面側を示す図である。フロントキャビネット１２の下側には、フロントキャビネット成形部２０が取り付けられている。また、ここでは図示しないが、フロントキャビネット１２の前面側には、例えばアルミニウム合金板のフロントパネル（化粧パネル）が取り付けられる。なお、本実施形態では、薄型表示装置用キャビネットとして、液晶テレビ１０のキャビネットについて例示するが、プラズマディスプレイテレビや、有機ＥＬテレビ等に関しても適用できる。
【００１２】
フロントキャビネット成形部２０には、ＳＰ用ボス２４、スタンドカバーやリアキャビネットを固定する為のボス２５、線整形部３０が形成されている。ＳＰ用ボス２４には、スピーカ６０が固定される。また、ボス２５には、リアキャビネット（図示せず）が固定される。線整形部３０には、スピーカ６０や赤外線通信回路のハーネス（ケーブル）９９が配索される。
【００１３】
図２は、フロントキャビネット成形部２０の線整形部３０を示している。また、図３は、線整形部３０を拡大して示した図であり、図３（ａ）は斜視図、図３（ｂ）は側面図であり、図３（ｃ）は底面図である。さらにまた、図４、図３（ａ）にハーネス９９を配索した状態の線整形部３０を示している。同様に、図５（ａ）及び図５（ｂ）は、図３（ｂ）及び図３（ｃ）にハーネス９９を配索した状態の線整形部３０を示している。
【００１４】
図示のように、フロントキャビネット成形部２０は、表示面と平行な第１の成形壁面２１と、第１の成形壁面２１と略垂直に形成され、後ろ方向に所定長だけ延出して形成される第２の成形壁面２２とを有している。第２の成形壁面２２の後側端部は、さらに上方向に延出してフロントキャビネット１２に固定される。
【００１５】
そして、第１の成形壁面２１からは、二つの板状のリブ４０が対向して所定間隔離間した状態で所定高さに形成されている。リブ４０の後方側の端部は、配索部４２となっており、ハーネス９９が配置される。また、配索部４２の下側の端部には、後ろ方向に延出するリブ係止部４４が形成されている。リブ係止部４４の下側角部４４ａはラウンド形状（又は斜面）となっている。リブ係止部４４の上側端部４４ｂは、略垂直後方に延びている。
【００１６】
リブ４０の上側の側面部分は、第２の成形壁面２２と一体となって接続されている。このような構造となることで、配索部４２とリブ係止部４４とがハーネス９９の位置を規制することになる。
【００１７】
第２の成形壁面２２からは、下方向に延びるフック５０が形成されている。フック５０は、第２の成形壁面２２から下方向に延出する押さえ部５２と、その先端側に形成されるフック係止部５４とが備わる。フック係止部５４は、内側（第１の成形壁面２１側）にツメ形状を呈している。また、端部側は、下側に行くに従い外側に向かうように勾配が設定されたガイド部５６となっている。
【００１８】
図３（ｂ）に示すように、押さえ部５２は、前後方向の位置関係において、リブ４０とフック５０とが形成する空間に、ハーネス９９が若干の余裕を持って配置可能となる位置から延出している。さらに、フック係止部５４の前面側の位置が、リブ係止部４４の後方側の位置と略一致する。したがって、側面視で、ハーネス９９が、第２の成形壁面２２、配索部４２、リブ係止部４４、フック係止部５４及び押さえ部５２で囲まれる空間に配索される。
【００１９】
ハーネス９９を上記の空間に配索する際には、作業者は、ハーネス９９を下側から差し込むように配索する。このとき、フック係止部５４のガイド部５６及びリブ係止部４４の下側角４４ａのラウンド形状によって、比較的スムーズに押さえ部５２を撓ませつつ配索することができる。一旦配索されると、フック係止部５４及びリブ係止部４４とに保持されることから、人為的に押さえ部５２を撓ませ取り出さない限り、ハーネス９９が外れてしまうことが防止される。また、押さえ部５２の長さを調整することで、ハーネス９９の取り外しやすさを調整することができる。
【００２０】
また、第１の成形壁面２１において、図示のように、二つのリブ４０の間には、矩形の第１の開口部６２が形成されている。第１の開口部６２の左右方向の幅は、フック５０の幅よりも広く設定されている。また、第１の開口部６２の上下方向の幅は、リブ４０の上下長さよりも若干長く設定されている。
【００２１】
さらに、第２の成形壁面２２には、第１の成形壁面２１の第１の開口部６２と連続して、押さえ部５２の根本部分まで、台形状の第２の開口部６４が形成されている。
【００２２】
第１及び第２の開口部６２、６４を形成してフックの形状を成形するために、フロントキャビネット成形部２０を成形するための金型は、キャビティ側およびコア側のみでフックを成形することが可能である。つまり、スライドコアを用いた複雑な金型を必要としない。そのため、金型コストを安価にすることができる。なお、フロントキャビネット成形部２０の前方側に外観用の部品（化粧パネル）が配置される場合に、第１及び第２の開口部６２、６４を隠すための構造が不要である。外観用の部品が金属板（アルミ合金板）で形成される場合には、外観用の部品にハーネス９９の保持構造を設けることが困難なため、特に、効果的である。
【００２３】
さらに、従来技術では、ボス２５等の側面部分にハーネス９９が当たっていると、配索作業中や製造ラインでの輸送中に、ハーネス９９がボス先端側に飛び出すおそれがあり、その防止対策が必要であった。つまり、ボス２５をハーネス９９から十分に離間させる必要があり、設計の自由度に制限があった。しかし、本実施形態では、ハーネス９９を押さえる構造となっているため、ハーネス９９が飛び出すようなことはなく、逆に、ボス２５等を積極的にハーネス９９の移動規制（線整形）に用いることができる。
【００２４】
以上、本実施形態の特徴をまとめると次の通りである。すなわち、フック５０の両側にリブ４０を設けることで、フック５０の両側に壁を追加する構造となる。この構造により、中央のフック５０とその両側の二つのリブ４０とでハーネス９９を挟み込む構造が実現できる。その結果、一度ハーネス９９等を引っ掛けると、ハーネス９９に軽くストレスが作用し、ハーネス９９のばたつきが防止される。また、この構造を樹脂成形するための金型もスライドコア等の複雑な構造を必要とせず、単純かつ安価に形状を作成することができる。
【００２５】
以上、本発明を実施形態をもとに説明した。この実施形態は例示であり、それらの各構成要素の組み合わせ等にいろいろな変形例が可能なこと、またそうした変形例も本発明の範囲にあることは当業者に理解されるところである。例えば、二つのリブ４０は略同一形状としているがこれに限る趣旨ではなく、異なる形状や異なる大きさであってもよい。また、フック５０の位置が二つのリブ４０の中央でなく、オフセットされていてもよい。以下、変形例の具体的な構造について図８〜１２を参照して説明する。なお、以下では、主に異なる構造について説明し、上述の実施形態と共通する部分に関しては、説明を適宜省略する。
【００２６】
図８及び図９は、変形例１に係る線整形部２３０を示した図である。図９は、図８にハーネスを配索した状態の線整形部２３０を示している。上記実施形態と異なる点は、第１の成形壁面２２１に第１の開口部６２に対応する開口が無く、第２の成形壁面２２２において第２の開口部６４に対応するフック２５０の延出部分（押さえ部２５２の根本部分）に設けられた開口部２６４のみとなっている点にある。そして、この開口部２６４を利用して、成形時にスライドコアが抜かれる。
【００２７】
また、フック２５０のフック係止部２５４の先端側部分（図８（ｂ）では下側端部）に、ハーネス９９をスムーズに配索する為のガイド部５６が設けられていない。その代わりに、リブ４０の下側端部にはガイド部２４８が所定の勾配で形成されている。なお、フック係止部２５４にガイド部５６に相当する構造を設けてもよい。リブ係止部２４４の配索部２４２にハーネス９９が配索される点については同様である。
【００２８】
本変形例によると、ワイヤーホルダーを用いることなく、複数のハーネス９９を一度に安定的に固定することができる。また、ハーネス９９の線整形部２３０固定が容易である。液晶テレビ１０の前面側に別の外観部品を必要とせずにハーネス保持構造を作成することが可能である。また、成形時において、フック２５０の成形に必要となる金型パーツであるスライドコアの抜き方向をハーネス９９の経路方向ではなく、側面方向に抜くようにすることができ、二つのリブ２４０と中央のフック２５０の距離を適正な距離に保つことができ、ハーネス９９に軽く加えるストレスを維持することが可能になる。また、スライドコアを使用するため、第１の成形壁面２２１において、フック２５０に対向する領域（キャビティ側）に開口部を有することなく所望の形状を作成することが可能となり、従来開口部を隠すために必要とされた前面のカバーや飾り等の別部品を廃止することも可能となる。
【００２９】
図１０及び図１１は、変形例２に係る線整形部３３０を示した図である。図１１は、図１０にハーネスを配索した状態の線整形部３３０を示している。なお、図１０では、フック５０を成形するためのスライドコアの領域Ｂ１を示している。
【００３０】
一般的な金型構造では、フック部３５０の形状を作成するために開口部（第１の開口部６２や第２の開口部６４）が必要であったが、フック部３５０の成形に側面に抜けるような、図１０（ｃ）では右側方向に抜けるようなスライドコアを用いることで、開口部を必要とせずにフック部３５０の形状を作成できる。
【００３１】
二つのリブ３４０ａ、３４０ｂのうちスライドコア抜き方向側のリブ３４０ｂはスライドコア抜きスペース（領域Ａ１）を必要とするため、フック５０との間隔（領域Ａ１）が多少広くなっている。なお、フック３５０のフック係止部３５４にはガイド部３５６が設けられており、両側のリブ３４０ａ、３４０ｂの傾斜（ガイド部３４８）と合わせて、ハーネス９９を配索しやすくなっている。スライドコアを左右方向に抜くスペースが必要であるため、両側のリブ３４０ａ、３４０ｂの片方がフック３５０から多少の距離を必要とするが、フック３５０と両側のリブ３４０ａ、３４０ｂの３点でハーネス９９を適正に保持することが可能である。
【００３２】
このようにスライドコアを用いることにより、開口部を有せずに、所望の形状を実現することが可能であるため、製品の外観品位を損なうことがない。また、開口部を塞ぐためのカバー、飾り等の別部品を廃止することが可能となる。
【００３３】
図１２は、変形例３に係る線整形部４３０を示した図である。本変形例では、リブ４０にハーネス９９の拾いこみ形状を形成している。
【００３４】
図示のように、第１の成形壁面２１に二つのリブ４４０が形成されている。また、フック４５０が第１の成形壁面４２１から延出して形成されている。具体的には、フック基部４５３が第１の成形壁面４２１から略垂直に後方（図１２（ｂ）では左方向）に所定長だけ延びて形成されている。さらに、直角に曲がって下方向に向かって所定長だけ押さえ部４５２が形成されている。押さえ部４５２の先端にはガイド部５６を有するフック係止部４５４が形成されている。また、第１の成形壁面４２１において、押さえ部４５２と対向する領域には、フック４５０を所定形状に成形するために用いられるスライドコアを引き抜くために成形された開口部４６４が備わる。
【００３５】
なお、第２の成形壁面４２２が前方に向かって形成されている関係上、フック５０にフック基部４５３が備わるが、実施形態のように第２の成形壁面が後方に向かって形成される場合は、フック基部４５３が無い構成となる。また、配索部４４２やリブ係止部４４４については上述の実施形態と同様である。
【００３６】
そして、図１２（ｄ）に示すように、ハーネス９９をリブ４４０のガイド部４４８に押し付けたまま（図示の矢印Ｆ１の方向）、ガイド部４４８に沿って（図示の矢印Ｆ２の方向）動かす単純な作業で、ハーネス９９を適正に配索できる。
【符号の説明】
【００３７】
１０  液晶テレビ
１２  フロントキャビネット
２０  フロントキャビネット成形部
２１、２２１、３２１、４２１  第１の成形壁面
２２、２２２、３２２、４２２  第２の成形壁面
２４  ＳＰ用ボス
２５  ボス
３０、２３０、３３０、４３０  線整形部（保持構造）
４０、２４０、３４０、３４０ａ、３４０ｂ、４４０  リブ
４２、２４２、３４２、４４２  配索部
４４、２４４、３４４、４４４  リブ係止部
４４ａ  下側角部
４４ｂ  上側端部
５０、２５０、３５０、４５０  フック
５２、２５２、３５２、４５２  押さえ部
５４、２５４、３５４、４５４  フック係止部
５６、２４８、３４８、３５６、４４８、４５６  ガイド部
６０  スピーカ
６２  第１の開口部
６４  第２の開口部
９９  ハーネス（ケーブル）
２６４、４６２  開口部
【図１】
0005209136.tif 000002
【図２】
0005209136.tif 000003
【図３】
0005209136.tif 000004
【図４】
0005209136.tif 000005
【図５】
0005209136.tif 000006
【図６】
0005209136.tif 000007
【図７】
0005209136.tif 000008
【図８】
0005209136.tif 000009
【図９】
0005209136.tif 000010
【図１０】
0005209136.tif 000011
【図１１】
0005209136.tif 000012
【図１２】
0005209136.tif 000013